(57)【要約】【課題】ステレオ音声信号を入力することにより、どこでも容易にヴァイオリンのステレオ音源自動演奏を可能とする構成を提供する。【解決手段】ステレオ音声信号によって振動する２個の圧電振動板を備える振動部を、構造体を介してヴァイオリンの駒に担う姿勢で固定することにより駒をステレオ励振し、通常の絃振動と全く同様な方式で、表板・魂柱・力木・裏板をシステマティックに励振してヴァイオリンを自動演奏する課題を解決した。【選択図】図１
2008034998.tif 000002
【特許請求の範囲】
【請求項１】
１台のヴァイオリンがステレオ音源による演奏を行う自動ヴァイオリンであって、ステレオＲ音声信号に応じて振動する円板状のＲ圧電振動板とステレオＬ音声信号に応じて振動する円板状のＬ圧電振動板の中心部を串刺しに貫通・固定する棒状の構造体が、先端に具備したクリップ部によって着脱可能にヴァイオリンの駒上縁部に固定した構成により、Ｒ圧電振動板とＬ圧電振動板のそれぞれの機械振動で同時的に駒を励振してステレオ音源による演奏を行う自動ヴァイオリン。
【請求項２】
１台のヴァイオリンがステレオ音源による演奏を行う自動ヴァイオリンであって、一端が２本の枝分かれ端部を有し、各端部がそれぞれステレオＲ音声信号に応じて振動する円板状のＲ圧電振動板の中心部とステレオＬ音声信号に応じて振動する円板状のＬ圧電振動板の中心部とをそれぞれ固定する構造体の他端が、先端に具有したクリップ部によって着脱可能にヴァイオリンの駒上縁部に固定した構成により、Ｒ圧電振動板とＬ圧電振動板のそれぞれの機械振動で同時的に駒を励振してステレオ音源による演奏を行う自動ヴァイオリン。
【発明の詳細な説明】
【技術分野】
【０００１】
本発明は、ステレオ音声電気信号によって１台のヴァイオリンを自動演奏する技術分野に属する。
【背景技術】
【０００２】
音声電気信号を音波に変換するスピーカは、一般に木材や合成樹脂材等のスピーカボックスに納めて使用される。しかしこの構成は、スピーカ・コーンの振動がボックスの固有振動を誘発し、誘発振動が副作用音を発生して原音を歪曲することは、当業界で一般的に知られた事実である。この副作用音を低減するために、これまで様々な技術的工夫がなされてきたが、必ずしも満足な結果は得られていない。
【０００３】
いっぽう、スピーカボックスに絃楽器を利用する技術が開示されている（特許文献１，２）。
第１の技術（特許文献１）は、音声電流を機械振動に変換する駆動コイルの振動部とヴァイオリン属絃楽器の駒を棒状部材で連結するプレーヤ装置技術である。この技術には、下記の問題点があった：
（１）筐体に納めたスピーカの駆動コイルの振動部に棒状部材を連結し、その先端を駒に連結するようにしているが、駒との連結を完全に固定的にすると、スピーカと絃楽器の両者が固定されるため、原理上振動部が振動できない。したがって、駒との連結は振動を伝達するための特殊な技術を要していた。
（２）筐体と絃楽器とが別体であるために、可搬性がなかった。
（３）筐体と絃楽器とが別体であるために、駆動コイルと楽器の駒の上下レベルが合うように両者を机上等に設置しなければならず、設置ごとに煩わしい調節が必要であった。
（４）筐体と絃楽器を並べて連結する構成上、同一音源からのステレオ演奏構成がきわめて煩瑣であった。
（５）絃楽器の駒は上縁に張られた絃の振動を表板に伝える形状に作成されているが、この技術では棒状部材を駒の側端部に連結するので、駒が正常に機能せず、忠実な音の再生に問題があった。
【０００４】
また、第２の技術（特許文献２）は、電子増幅装置からの外力を絃楽器に加えるスピーカ絃楽器技術である。この技術には、下記の問題点があった：
（１）電子増幅装置からの外力の具体的説明がないため、再現不能であった。
（２）外力を絃楽器に伝達する手段についての具体的説明がない。実施例の説明では、魂柱の基部に伝達部を設けたり、あるいは魂柱を横方向から振動させたりするようにしているが、魂柱は絃楽器表板の縦振動を裏板に伝えるものであって、魂柱基部に伝達部を設けたのでは裏板への振動の伝達が著しく阻害される。また魂柱に横方向から振動を加えても、正常な縦振動を表板や裏板に伝達することができない。
（３）この技術の外力をヴァイオリンに加える手段を、既製のヴァイオリンに取付けることができない。
【０００５】
近来、スピーカの振動部に圧電振動体を用いる技術が多数開示されるようになっている（一例として特許文献３）。この技術は、例えばバイモルフ型のピエゾセラミック圧電振動板の中心部を支持部材を介して音響振動板に取付けるもので、圧電振動板の中心に貫通孔を設けて支持部材を挿通している。この技術では、音響振動板が機械振動して空気振動を起し、発音体として機能するものである。この技術では、圧電振動板と音響振動板とが一体となってスピーカを構成している。また、上記音響振動板を具備せず、支持部材に吸着盤等を備えて、机やギターなど任意の物体を音響振動板として利用する商品が市場に登場している。
【０００６】
この吸着盤付圧電振動板をヴァイオリンの胴に貼付して、ヴァイオリンを発音体としてみると、著しく歪んだ音を発する。とくに、それぞれがステレオＲＬ音声信号に対応する２個の圧電振動板をヴァイオリンの胴に貼付すると、さらに聞きづらい、耳障りな歪み音が発せられる。その原因は、ヴァイオリン属絃楽器の構造特性によるものである。ヴァイオリン属絃楽器では弓で擦られている絃の振動で駒が励振され、駒が表板に振動を伝えて表板を振動させるとともに、魂柱を介して裏板に振動を伝える。したがって、表板や裏板を直接的に圧電振動板で振動させると、ヴァイオリンのシステマティックな発音構造が機能せず、相互干渉や相殺が起こるのである。ヴァイオリン属絃楽器には、以上述べた構造要素の他に、力木も大きな役割を持っている。これらの特殊な構造のため、ヴァイオリン属絃楽器を良い音で鳴らすためには、駒を励振することが絶対の要件なのである（非特許文献１）。
【特許文献１】特開平９−１３４１６８号公開特許公報
【特許文献２】特開平１１−１２２６８７号公開特許公報
【特許文献３】特開２０００−２５３４９２号公開特許公報
【非特許文献１】Ｃ．Ｍ．ハッチンス「バイオリンの音響学」、サイエンス、１９８１年１２月
【発明の開示】
【発明が解決しようとする課題】
【０００７】
解決しようとする問題点は、可搬性がなく、設置調節が煩わしく、かつ原音に忠実なヴァイオリンのステレオ音源による演奏ができない点である。
【課題を解決するための手段】
【０００８】
上記課題を解決するために、本発明の請求項１の自動ヴァイオリンは、１台のヴァイオリンがステレオ音源による演奏を行う自動ヴァイオリンであって、ステレオＲ音声信号に応じて振動する円板状のＲ圧電振動板とステレオＬ音声信号に応じて振動する円板状のＬ圧電振動板の中心部を串刺しに貫通・固定する棒状の構造体が、先端に具備したクリップ部によって着脱可能にヴァイオリンの駒上縁部に固定した構成により、Ｒ圧電振動板とＬ圧電振動板のそれぞれの機械振動で同時的に駒を励振してステレオ音源による演奏を行うことを特徴とする。
また、本発明の請求項２の自動ヴァイオリンは、１台のヴァイオリンがステレオ音源による演奏を行う自動ヴァイオリンであって、一端が２本の枝分かれ端部を有し、各端部がそれぞれステレオＲ音声信号に応じて振動する円板状のＲ圧電振動板の中心部とステレオＬ音声信号に応じて振動する円板状のＬ圧電振動板の中心部とをそれぞれ固定する構造体の他端が、先端に具有したクリップ部によって着脱可能にヴァイオリンの駒上縁部に固定した構成により、Ｒ圧電振動板とＬ圧電振動板のそれぞれの機械振動で同時的に駒を励振してステレオ音源による演奏を行うことを特徴とする。
【発明の効果】
【０００９】
本発明の自動ヴァイオリンは、駒上縁部にステレオ音声電気信号に応じて振動する２個の圧電振動板を固定するので、１台のヴァイオリンで原音に忠実なステレオ音源による自動演奏ができ、かつ着脱が容易で可搬性が高いという利点がある。
【発明を実施するための最良の形態】
【００１０】
１台のヴァイオリンで原音に忠実なステレオ音源による自動演奏ができ、かつ着脱が容易で可搬性が高いという目的を、ステレオ用の２個の圧電振動板を構造体を介してヴァイオリンの駒上縁部に着脱可能に固定する構成によって実現した。
【実施例１】
【００１１】
図１は、本発明になる自動ヴァイオリンの第１実施例を説明する図であって、Ａは全体断面図、Ｂは振動部と構造体の側面図である。図において、１は振動部、２は圧電振動板、２−１はステレオＲ振動板、２−２はステレオＬ振動板、２−３はステレオＲ音声信号線、２−４はステレオＬ音声信号線、である。また３は機械振動を伝達すると共に振動部１を駒に固定する構造体であって、３−１は圧電振動板２−１、２−２を貫通固定する固定軸、３−２は振動板２−１、２−２の振動を伝達する伝達軸、３−３は駒の上縁部を挟むクリップ部、３−４はクリップを締めるビス、３−５は駒の側面を挿入するスリットである。また、４は駒に張られた４本の絃４−１、４−２、４−３，４−４である。５は駒であり、５−１、５−２は表板に接する脚部である。６は胴部であり、６−１は表板、６−２は側板、６−３は裏板、６−４はｆ孔、６−５は魂柱、６−６は力木である。
【００１２】
以下、実施例１の機能を説明する。構造体３は、図１Ａに示すように、振動部１をヴァイオリンの駒上縁部に固定する。その結果、音声信号線２−３、２−４からのステレオ音声信号によって振動部１の圧電振動板２−１、２−２が振動しようとするが、駒と固定されているため相対的に圧電振動板２−１、２−２自体が振動する。この振動は構造体３を振動させ、構造体３が絃を弾いた際の絃振動とまったく同様に駒を励振するので、振動部１の振動によってヴァイオリンが正しく演奏されるのである。
【００１３】
本実施例では、振動部１と構造体３を一体化しているので、クリップ部３−３で駒上縁部を挟み、固定ビス３−４を締めればきわめて容易に駒に取付けることができ、また容易に取外すことができるので、どのような場所においても直ちにセットアップができ、また完了できる。
【００１４】
次に１台のヴァイオリンによるステレオ音源演奏の原理と効果について説明する。通常、ステレオ音源の再生には、左右に置いたスピーカから方向性ある空気振動を発生させる場合や、ヘッドホーンスピーカを両耳に装着する場合がある。これらは、位相や音量が少し異なる左右からの音を聞いて、脳内で立体感を生成する方式である。ヴァイオリンやピアノなどの独奏音源でも、採音あるいは録音はステレオ方式がごく普通であり、これらの音源も、ステレオ装置で再生され、モノラル再生では得られない立体感効果を発揮している。
いっぽう本発明では、ヴァイオリン属絃楽器が、複数絃の擦絃による多重音演奏が可能であることに鑑み、駒をステレオＲＬ音声信号で励振することにより、１台の楽器によるステレオ音源演奏を実現している。その原理は、ヴァイオリンがＲＬ音声信号の両者に同時に対応してＲＬ発音するので、１台のステレオ音源演奏を聴いた脳内で立体感が生成されるのである。
【実施例２】
【００１５】
次に本発明の自動ヴァイオリンの第２実施例を図２及び図１に沿って説明する。図２のＡは斜視図、Ｂは側面図である、図２Ａにおいて、１は振動部、２は圧電振動板、２−１はステレオＲ振動板、２−２はステレオＬ振動板、２−３はステレオＲ音声信号線、２−４はステレオＬ音声信号線であって、圧電振動板２−１、２−２は、それぞれ共通の構造体３に固定されている。
【００１６】
構造体３の各部は、３−１が２−１のステレオＲ振動板を固定する伝達軸であり、３−２が２−２のステレオＬ振動板を固定する伝達軸である。これらの軸は、取付け台３−３に固定され、取付け台３−３は、３−４のクリップ部１と３−５のクリップ部２を備えていて、締めつけビス３−６によって駒（図１の５）上縁部に固定される。
【００１７】
図２Ｂは駒への締めつけ動作を示している。締めつけビス３−６を締めると、クリップ部２（３−５）の上腕が押下され、直角に垂下する下腕が駒の上縁部４をクリップ部１（３−４）との間に締めつけていくようにしている。
【００１８】
この実施例は、実施例１と同様に、ステレオ音源からの音声信号ＲＬのステレオ音源演奏を可能にする形態である。１台のヴァイオリンによるステレオ音源演奏の原理と効果は、実施例１とまったく同様であるので、ここではその説明を割愛する。
【００１９】
以上説明した実施例１および２は、いずれも２個の圧電振動板によってステレオ音源演奏を実現したものであるが、１個の圧電振動板を固定すれば容易にモノラル演奏が実現することは、言うまでもない。
【００２０】
また１個の圧電振動板装着のヴァイオリン２台を用意し、ステレオ音声信号のＲとＬでそれぞれ演奏すれば、容易にセパレート型のステレオ演奏が容易に可能であることも言をまたない。
【００２１】
いっぽう、例えば実施例１の圧電振動板を複数にすれば、上述したヴァイオリンの多重発音特性を利用して多重採音あるいは多重録音した音源の１台多重演奏が可能である。
【００２２】
さらに、上記１個あての圧電振動板をそれぞれ装着した高音域絃楽器（例えばヴァイオリン）や低音域絃楽器（例えばチェロ）などによる、広音域演奏もまた可能であることは、勿論である。
【産業上の利用可能性】
【００２３】
ステレオ音声信号に対応する２個の圧電振動板をヴァイオリンの駒に固定することによって、どのような場所でも容易にセットアップでき、ステレオ音源演奏を行う自動ヴァイオリンに適用できる。
【図面の簡単な説明】
【００２４】
【図１】自動ヴァイオリンの構成及び振動部と構造体の構成を示した説明図である。（実施例１）
【図２】自動ヴァイオリンに取付ける振動部及び構造体の構成を示した説明図である。（実施例２）
【符号の説明】
【００２５】
１    振動部
２    圧電振動板
３    構造体
４    絃
５    駒
６    胴部
【図１】
2008034998.tif 000003
【図２】
2008034998.tif 000004